(57)【要約】【課題】携帯用のレーザ穿刺装置は、振動や衝撃により破壊や損傷が生ずる可能性があった。【解決手段】穿刺部１３を有する筐体１２と、この筐体１２内に設けられるとともに穿刺部１３に対向して設けられたレーザ穿刺ユニット１４と、このレーザ穿刺ユニット１４に接続された高電圧発生回路１８とを備え、レーザ穿刺ユニット１４は、夫々直交するＸＹＺ軸に対して遥動自在な支持部材１５で筐体１２に固定されるとともに、レーザ穿刺ユニット１４の遥動を禁止する固定部材１６が設けられたものである。これにより、所期の目的を達成することができる。【選択図】図１
2010094404.tif 000002
【特許請求の範囲】
【請求項１】
携帯用として使用されるレーザ穿刺装置であって、前記レーザ穿刺装置は、穿刺部を有する筐体と、この筐体内に設けられるとともに前記穿刺部に対向して設けられたレーザ穿刺ユニットと、このレーザ穿刺ユニットに接続された高電圧発生回路とを備え、前記レーザ穿刺ユニットは、夫々直交するＸＹＺ軸に対して遥動自在な支持部材で前記筐体に固定されるとともに、前記レーザ穿刺ユニットの遥動を禁止する固定部材が設けられたレーザ穿刺装置。
【請求項２】
支持部材は、ＸＹ軸に対して自在に遥動する螺旋状をしたねじり板ばねと、このねじり板ばねと直列に連結されるとともに、Ｚ軸に対して自在に伸縮する「Ｕ」字状をしたＵ字板ばねとで形成された請求項１に記載のレーザ穿刺装置。
【請求項３】
固定部材は、筐体に装着されるともに可動レバーの可動により内径が伸縮する請求項１に記載のレーザ穿刺装置。
【請求項４】
支持部材は、２箇所以上で筐体とレーザ穿刺ユニットとを支持する請求項１に記載のレーザ穿刺装置。
【請求項５】
支持部材は、コイルばねで形成された請求項１に記載のレーザ穿刺装置。
【請求項６】
レーザ穿刺ユニットの筐体への固定を検知する検知センサを設け、この検知センサの出力とレーザ光を発射する穿刺ボタンの論理積でレーザ光を発射する請求項１に記載のレーザ穿刺装置。
【請求項７】
レーザ穿刺ユニットと穿刺部とは一体化された請求項１に記載のレーザ穿刺装置。
【請求項８】
請求項７に記載のレーザ穿刺装置を構成する穿刺部に血液センサを供給するセンサカートリッジと、このセンサカートリッジから前記穿刺部に装填される前記血液センサに接続される測定回路部とを備え、前記穿刺部と前記センサカートリッジとは一体化された血液検査装置。
【請求項９】
請求項６に記載のレーザ穿刺装置を用いて、筐体とレーザ穿刺ユニットとの間の遥動が許可される第１の段階と、この第１の段階の後で前記筐体と前記レーザ穿刺ユニットとの間の遥動が禁止される第２の段階と、この第２の段階の後で前記レーザ穿刺ユニットによる穿刺を行う第３の段階を有するレーザ穿刺装置を用いた穿刺方法。
【発明の詳細な説明】
【技術分野】
【０００１】
本発明は、レーザ穿刺装置とその穿刺方法及びこれを用いた血液検査装置に関するものである。
【背景技術】
【０００２】
以下、従来の携帯用として使用されるレーザ穿刺装置について説明する。従来の携帯用として使用されるレーザ穿刺装置１は、図１９に示すように、穿刺部２を有する筐体３と、この筐体３内に設けられるとともに穿刺部２に対向して設けられたレーザ穿刺ユニット４と、このレーザ穿刺ユニット４に接続された高電圧発生回路５と、これ等に電源を供給する電池６とで構成されていた。ここで、レーザ穿刺ユニット４は、複数の固定部材７で確りと筐体３に固定されていた。
【０００３】
以上のように構成されたレーザ穿刺装置１を用いた採血について以下説明する。レーザ穿刺装置１の穿刺部２を患者の指９に当接する。そして、穿刺ボタン４ａを押下する。穿刺ボタン４ａが押下されると高電圧発生回路５から高電圧がレーザ穿刺ユニット４へ供給される。レーザ穿刺ユニット４へ高電圧が供給されると、レーザ穿刺ユニット４からはレーザ光４ｂが発射される。このテーザ光４ｂは、指９の皮膚９ａを穿刺する。穿刺された皮膚９ａからは血液１０が滲出する。
【０００４】
この出願の発明に関連する先行技術文献情報としては、例えば、特許文献１が知られている。
【特許文献１】特開２００４―１９５２４５号公報
【発明の開示】
【発明が解決しようとする課題】
【０００５】
しかしながらこのような従来のレーザ穿刺装置１は、携帯用であるため、操作中に誤って落下したりすることがある。落下するとその振動や衝撃でレーザ穿刺ユニット４がダメージを受け、位置ずれにより光利用率の低下や穿刺位置のずれや更には破壊等の不具合が発生する可能性がある。
【０００６】
そこで本発明は、このような問題を解決したもので、振動や衝撃に配慮されたレーザ穿刺装置を提供することを目的としたものである。
【課題を解決するための手段】
【０００７】
この目的を達成するために本発明のレーザ穿刺装置を構成するレーザ穿刺ユニットは、夫々直交するＸＹＺ軸に対して遥動自在な支持部材で筐体に固定されるとともに、前記レーザ穿刺ユニットの遥動を禁止する固定部材が設けられたものである。これにより、初期の目的を達成することができる。
【発明の効果】
【０００８】
以上のように本発明によれば、レーザ穿刺装置を構成するレーザ穿刺ユニットは、夫々直交するＸＹＺ軸に対して遥動自在な支持部材で筐体に固定されるとともに、前記レーザ穿刺ユニットの遥動を禁止する固定部材が設けられたものであり、レーザ穿刺ユニットは、ＸＹＺ軸に対して遥動自在な支持部材で筐体に固定されているので、誤って振動や衝撃を加えたとしても、その振動や衝撃は遥動自在な支持部材で吸収される。従って、レーザ穿刺ユニットに加わる振動や衝撃は軽減され、レーザ穿刺ユニットに不具合を与えることはない。
【０００９】
また、レーザ穿刺ユニットの遥動を禁止する固定部材が設けられているので、穿刺時においては、予定部位を確実に穿刺することができ、予定量の血液を採取することができる。
【発明を実施するための最良の形態】
【００１０】
（実施の形態１）
図１は、実施の形態１におけるレーザ穿刺装置１１の断面図である。図１において、１２は樹脂で成形された筐体であり、この筐体１２の下辺隅には、皮膚９ａを穿刺する穿刺部１３が設けられている。そして、この穿刺部１３に対向してレーザ穿刺ユニット１４が装着されている。このレーザ穿刺ユニット１４は円筒形状をした金属製の筒体１４ａを有しており、この筒体１４ａの内部には発光ランプ１４ｂとレーザロット１４ｃが対向して内蔵されている。
【００１１】
筒体１４ａは、その上方と下方の２箇所で支持部材１５により筐体１２と連結されている。この支持部材１５は、夫々直交するＸＹＺ軸に対して遥動自在に装着されている。従って、例え落下させたりして、振動や衝撃を加えたとしても、発光ランプ１４ｂやレーザロット１４ｃに加わる衝撃緩和することができ、これ等に与えるダメージを防止する。このように、レーザロット１４ｃを振動や衝撃から保護する理由は以下の理由による。即ち、レーザロット１４ｃは、石英ガラスやセラミックで構成されており、特に衝撃に弱いからである。また、筒体１４ａは支持部材１５を用いて２箇所（２箇所以上であれば良い）で支持されている。従って、筒体１４ａは安定して支持される。
【００１２】
１６は固定部材であり、筒体１４ａの上方と下方の２箇所の固定と、この固定の解除をするものである。従って、この固定部材１６により、レーザ穿刺ユニット１４の遥動を禁止することができるので、穿刺時においては、予定部位を確実に穿刺することができ、予定量の血液１０を採取することができる。
【００１３】
１８は、高電圧発生回路であり、発光ランプ１４ｂに高電圧を印加して発光させるものである。この高電圧発生回路１８には電池１７から電源が供給される。また、筐体１２には穿刺ボタン１４ｄ（図示せず）が設けられており、この穿刺ボタン１４ｄの押下により、高電圧発生回路１８で発生された高電圧が発光ランプ１４ｂに加わる。そして、この発光ランプ１４ｂの発光によりレーザロット１４ｃからレーザ光１４ｅが発射され皮膚９ａを穿刺する。レーザ光１４ｅの穿刺により皮膚９ａからは血液１０が滲出する。
【００１４】
図２は、支持部材１５の側面図である。支持部材１５は、筐体１２と筒体１４ａ間を遥動自在に連結するものである。支持部材１５は金属で形成されている。
この支持部材１５は、螺旋状に９０度以上旋回したねじり板ばね１５ａと、このねじり板ばね１５ａと直列に連結された「Ｕ」字形状をしたＵ字板ばね１５ｂとで一体的に形成されている。ねじり板ばね１５ａの一方は筐体１２へねじ１５ｃで確りと固定されている。Ｕ字板ばね１５ｂの他方は筒体１４ａへねじ１５ｄで確りと固定されている。
【００１５】
図３は、支持部材１５の斜視図である。支持部材１５は、ねじり板ばね１５ａの効果により、それぞれ直交するＸ軸１５ｅとＹ軸１５ｆ（水平方向）へ自在に遥動する。また、Ｕ字板ばね１５ｂの効果により、これらＸ軸１５ｅ及びＹ軸１５ｆと直交するＺ軸１５ｇ（垂直方向）へ自在に遥動する。
【００１６】
図４は、２個の支持部材１５を用いてレーザ穿刺ユニット１４を筐体１２に装着したものであり、その側面から見た断面図である。また、図５はその正面図である。このようにレーザ穿刺ユニット１４は、支持部材１５で筐体１２と連結されているので、ねじり板ばね１５ａの効果により、水平方向１５ｈ（Ｘ軸１５ｅ、Ｙ軸１５ｆ）への遥動が自在となるとともに、Ｕ字板ばね１５ｂの効果により、垂直方向１５ｊ（Ｚ軸１５ｇ）への遥動が自在となる。即ち、レーザ穿刺ユニット１４の筒体１４ａ内に収納された発光ランプ１４ｂとレーザロット１４ｃは振動や衝撃から保護される。なお、本実施の形態では、支持部材１５として板ばねを用いたが、支持部材としてコイルばねを用いることもできる。
【００１７】
図６は、固定部材１６の平面図である。固定部材１６は、円形状の外枠１６ａと、この外枠１６ａの内側に摺動自在に設けられた円形状の内枠１６ｂと、この内枠１６ｂの内側に設けられた３枚の羽根１６ｃと、外枠１６ａと内枠１６ｂと羽根１６ｃとを回動自在に連結する連結部材１６ｄとで構成されている。従って、羽根１６ｃの内側には、内径が自在に伸縮する孔１６ｅが形成されることになる。そして、この孔１６ｄ内にレーザ穿刺ユニット１４が挿入される。
【００１８】
外枠１６ａには固定レバー１６ｆの一方が固着されており、この固着レバー１６ｆの他方は筐体１２に固定される。また、内枠１６ｂには可動レバー１６ｇの一方が固着されている。この可動レバー１６ｇの他方を矢印２０ａ方向に移動させると、連結部材１６ｄが矢印２０ｂ方向に移動し、この連結部材１６ｄに連結された羽根１６ｃが内側へ移動して孔１６ｅの直径が小さくなる。即ち、この孔１６ｅ内に挿入されたレーザ穿刺ユニット１４は、羽根１５ｃで締め付けられて固定される。固定レバー１６ｆは筐体１２に固定されているので、レーザ穿刺ユニット１４は筐体１２に固定される。
【００１９】
逆に、可動レバー１６ｇの他方を矢印２０ｃ方向に移動させると、連結部材１６ｄが矢印２０ｂと反対方向に移動し、この連結部材１６ｄに連結された羽根１６ｃが外側へ移動して孔１６ｅの直径が大きくなる。即ち、この孔１６ｅ内に挿入されたレーザ穿刺ユニット１４の羽根１６ｃによる締め付けは開放される。レーザ穿刺ユニット１４は、羽根１６ｃによる締め付けが解放されるので、レーザ穿刺ユニット１４は、筐体１２に対して遥動が自在となる。本実施の形態における固定部材１６は、丁度カメラの絞りのような構成となっている。
【００２０】
なお、外枠１６ａ、内枠１６ｂ、羽根１６ｃ、連結部材１６ｄは金属で形成されている。これは、レーザ穿刺ユニット１４と穿刺部１３との位置関係は、穿刺精度に影響するため、硬いもので保持すべきだからである。
【００２１】
図７は、レーザ穿刺ユニット１４の筐体１２への固定を説明する断面図である。レーザ穿刺ユニット１４の筒体１４ａは、固定部材１６を用いて上方と下方の２箇所で、筐体１２への固定とその解除を行っている。２箇所（複数個所）で固定する理由は、レーザ穿刺ユニット１４を確りと安定して筐体１２への固定とその解除を行うためである。
【００２２】
上方と下方の固定とその解除をする２個の固定部材１６は、連動部材１９により連動して制御される。この連動部材１９は押圧部１９ａ（本実施の形態では穿刺ボタン１４ｄの役割も兼ねている）を矢印２０ｄ方向に押圧することにより、上方を固定する固定部材１６の可動レバー１６ｇは押圧されて矢印２０ｅ方向へ移動し、レーザ穿刺ユニット１４の上方を固定する。また、このときレーザ穿刺ユニット１４の下方を固定する固定部材１６の可動レバー１６ｇも押圧されて矢印２０ｆ方向へ移動し、レーザ穿刺ユニット１４の下方を固定する。このように、お互いに逆方向（矢印２０ｅ方向と矢印２０ｆ方向）に回動させることにより、固定位置を安定化させている。
【００２３】
逆に、押圧部１９ａの押圧を解除すると、夫々逆方向に移動して上方と下方を固定する固定部材１６は、夫々レーザ穿刺ユニット１４の上方と下方の固定を解除する。このように、連動部材１９を用いることで、押圧部１９ａのみの押圧操作により、２つの固定部材１６を同時に制御している。
【００２４】
図８は、連動部材１９の斜視図とその周辺ブロック図である。連動部材１９は、直線状の連動部１９ｂと、その中央に垂直に設けられた押圧部１９ａと、連動部１９ｂの一方の端に設けられるとともに連動部１９ｂと直角に設けられた第１の操作部１９ｃと、押圧部１９ａに対して対称に設けられた第２の操作部１９ｄとで構成されている。
【００２５】
第１の操作部１９ｃで、上方を固定する固定部材１６の可動レバー１６ｇを制御し、第２の操作部１９ｄで、下方を固定する固定部材１６の可動レバー１６ｇを制御している。
【００２６】
１９ｅは連動部材１９を矢印２０ｇ方向へ付勢するコイルばねである。従って、押圧部１９ａを離すことにより、コイルばね１９ｅの付勢力により、レーザ穿刺ユニット１４の固定は解除される。
【００２７】
２１ａは、連動部材１９の押圧を検知するセンサであり、本実施の形態で機構スイッチを用いている。なお、これは光学センサ或いは磁気センサを使用することもできる。検知センサ２１ａの出力は、タイマ２１ｂの入力とアンド回路（論理積回路）２１ｃの一方の入力に接続されている。タイマ２１ｂ出力は、アンド回路２１ｃの他方の入力に接続されている。アンド回路２１ｃの出力は高電圧発生回路１８に接続されている。ここで、タイマ２１ｂは本実施の形態では０．５秒に設定している。
【００２８】
従って、押圧部１９ａを押圧して固定部材１６でレーザ穿刺ユニット１４を固定してから０．５秒後にレーザ穿刺ユニット１４からレーザ光１４ｅが発射されることになる。なお、タイマの時間はソフトウエアで適宜変更することができる。
【００２９】
図９は、レーザ穿刺ユニット１４と、このレーザ穿刺ユニット１４に高電圧を供給する高電圧発生回路１８のブロック図である。高電圧発生回路１８は、電池１７に接続された昇圧回路１８ａと、この昇圧回路１８ａの出力に接続されたコンデンサ１８ｂと、このコンデンサ１８ｂに接続されたトリガスイッチ１８ｃと、このトリガスイッチ１８ｃの出力に接続されたトリガ回路１８ｄとで構成されている。また、コンデンサ１８ｂの両端は、レーザ穿刺ユニット１４を構成する発光ランプ１４ｂの両電極に接続されており、トリガ回路１８ｄの出力は発光ランプ１４ｂのトリガ電極に接続されている。コンデンサ１８ｂは、静電容量４５０マイクロファラッドで耐圧３５０Ｖのものを用い、トリガスイッチ１８ｃにはＩＧＢＴ（絶縁ゲートバイポーラトランジスタ）を用いている。このトリガスイッチ１８ｃは、図８で示したアンド回路２１ｃの出力でオン・オフが制御される。
【００３０】
レーザ穿刺ユニット１４は、発光ランプ１４ｂと、この発光ランプ１４ｂの近傍に設けられるとともにＥｒ：ＹＡＧ（イットリウム・アルミニウム・ガーネット）で形成されたレーザロット１４ｃと、このレーザロット１４ｃの前方に設けられたレンズ１４ｆとで構成されている。また、レーザロット１４ｃの後端には全反射鏡１４ｇが装着されるとともに前方には部分透過鏡１４ｈが装着されている。
【００３１】
次に、レーザ穿刺ユニット１４の動作を説明する。電池１７から供給された電圧は、昇圧回路１８ａで昇圧されてコンデンサ１８ｂを充電する。この充電電圧は外部から昇圧回路１８ａの制御が可能であり、この充電電圧の制御で穿刺深さを制御することができる。コンデンサ１８ｂに充電された電圧は発光ランプ１４ｂの両電極に供給される。この電圧が予め定められた電圧（３００Ｖ以上）まで昇圧された後、穿刺ボタン１４ｄ（押圧部１９ａ）を押圧する。すると、０．５秒後トリガ回路１８ｄが働き、発光ランプ１４ｂが発光する。発光ランプ１４ｂの発光により、レーザロット１４ｃ内のＥｒ：ＹＡＧが励起されてレーザ光が発生する。このレーザ光は、全反射鏡１４ｇと部分透過鏡１４ｈ内を往復するうちに増幅され、その一部は部分透過鏡１４ｈを透過してレーザロット１４ｃ外へ出力される。レーザロット１４ｃ外へ出力されたレーザ光１４ｅはレンズ１４ｆを通過して皮膚９ａに焦点を結び穿刺する。皮膚９ａからは血液１０が滲出する。
【００３２】
図１０は、穿刺動作のフローチャートである。図１０において、ステップ２２ａは固定部材１６によるロックが解除されている状態であり、この状態においては、レーザ穿刺ユニット１４は自在に遥動する。従って、携帯中においてレーザ穿刺装置１１を落下させたりして振動や衝撃を与えたとしても、レーザ穿刺ユニット１４はこれらの衝撃から保護されている。次に、穿刺ボタン１４ｄを押下するステップ２２ｂへ移行する。ステップ２２ｂでは穿刺ボタン１４ｄ（押圧部１９ａ）の押下を待つ。
【００３３】
穿刺ボタン１４ｄが押下されると、ステップ２２ｃへ移行する。ステップ２２ｃでは、固定部材１６によりレーザ穿刺ユニット１４がロックされる。即ち、レーザ穿刺ユニット１４の遥動は禁止される。そして、ステップ２２ｄへ移行する。ステップ２２ｄでは、タイマ２１ｂにより予め定められた時間（本実施の形態では０．５秒）遅延する。
【００３４】
予め定められた時間が経過したら、ステップ２２ｅへ移行する。ステップ２２ｅでは、押圧部１９ａが押圧されてレーザ穿刺ユニット１４がロックされていることを条件に、トリガスイッチ１８ｃがオンとなる。トリガスイッチ１８ｃがオンすることにより、レーザ穿刺ユニット１４からレーザ光１４ｅが放射され皮膚９ａを穿刺する。そして、ステップ２２ｆへ移行し、固定部材１６によるロック解除を待つ。
【００３５】
押圧部１９ａの押圧が解除されてロックが解除されると、再びレーザ穿刺ユニット１４の遥動は自在となる。即ち、この状態においてレーザ穿刺装置１１を落下させたりして振動や衝撃を与えたとしても、レーザ穿刺ユニット１４はこれらの衝撃から保護された状態となる。従って、安心して携帯することができる。
【００３６】
（実施の形態２）
図１１は、実施の形態２における血液検査装置２３の断面図である。なお、実施の形態１と同じものについては同符号を付して説明を簡略化している。これは、以下の実施の形態についても同様である。本実施の形態における血液検査装置２３は、実施の形態１で説明したレーザ穿刺装置１１で穿刺し、その結果、滲出した血液１０の性質（本実施の形態では血糖値）をも測定することができる装置である。即ち、血液１０の測定部を有した装置である。
【００３７】
図１１において、略直方体形状の筐体２４の下辺側の隅には、穿刺部２５（実施の形態１における穿刺部１３に該当）が設けられており、この穿刺部２５に対向してレーザ穿刺ユニット１４が装着されている。このレーザ穿刺ユニット１４と穿刺部２５に隣接してセンサカートリッジ２６が配置されている。センサカートリッジ２６の上方には、測定回路部２７が配置され、この測定回路部２７の上方には電池１７が配置されている。
【００３８】
センサカートリッジ２６は、血液センサ３０が積層収納されるセンサ室２６ａと、このセンサ室２６ａと並列に設けられた乾燥剤室２６ｂと、センサ室２６ａ内の血液センサ３０を穿刺部２５へ搬送する搬送手段２８とから構成されている。乾燥剤室２６ｂには、乾燥剤２６ｄが収納されている。これは、血液センサ３０に埋設された試薬４０（図１２参照）は湿気で性能が劣化するので、この湿気による性能劣化を防止するためである。
【００３９】
センサ室２６ａには、血液センサ３０を下方に押圧する押圧板２６ｃが設けられており、この押圧板２６ｃはばね２６ｅで下方へ付勢されている。センサ室２６ａと乾燥剤室２６ｂの下方には搬送手段２８が設けられている。この搬送手段２８は、一番下に収納された血液センサ３０を一枚ずつ穿刺部２５へ押し出すスライドプレート２８ａと、このスライドプレート２８ａを穿刺部２５の反対方向へ付勢するばね２８ｂとで構成されている。スライドプレート２８ａには装填レバー２８ｃが一体的に連結されており、この装填レバー２８ｃを指で穿刺部２５方向へ移動させることにより、血液センサ３０が出口２６ｆを介して穿刺部２５へ装填される。なお、この装填レバー２８ｃは、ばね２８ｂで付勢されているので、指を離すと元の位置に戻る。
【００４０】
穿刺部２５には図示しないコネクタ２９（２９ａ〜２９ｆ）が装着されていり、血液センサ３０が穿刺部２５に装填されたとき、血液センサ３０に形成された接続電極４５ａ〜４６ａ（図１３参照）に夫々当接する。また、コネクタ２９は、測定回路部２７に接続されている。
【００４１】
図１２は、血液センサ３０の断面図である。この血液センサ３０は、基板３１と、この基板３１の上面に貼り合わされたスペーサ３２と、このスペーサ３２の上面に貼り合わされたカバー３３とで構成されている。
【００４２】
３４は、血液１０（図９参照）の貯留部であり、この貯留部３４は、基板３１の略中央に形成された基板孔３１ａと、スペーサ３２に形成されたスペーサ孔３２ａと、カバー３３に形成されたカバー孔３３ａとが連通して形成されている。
【００４３】
３５は、この貯留部３４に一方の端が連結された血液１０の供給路であり、貯留部３４に溜められた血液１０を毛細管現象で一気に検出部３７へ導く路である。また、この供給路３５の他方の端は空気孔３８に連結している。貯留部３４の容積は０．９０４μＬであり、供給路３５の容積は０．１４４μＬとしている。このように少量の血液１０で検査可能とし、患者への負担を軽減している。
【００４４】
４０は、検出部３７上に載置された試薬である。この試薬４０は、０．０１〜２．０ｗｔ％ＣＭＣ水溶液に、ＰＱＱ−ＧＤＨを０．１〜５．０Ｕ／センサ、フェリシアン化カリウムを１０〜２００ｍＭ、マルチトールを１〜５０ｍＭ、タウリンを２０〜２００ｍＭ添加して融解させて試薬溶液を調整し、これを基板３１に形成された検出部３７を構成する検出電極４１，４３（図１３参照）上に滴下し、乾燥させることで形成したものである。
【００４５】
基板３１の上面には金、白金、パラジウム等を材料として、スパッタリング法或いは蒸着法により導電層を形成し、これをレーザ加工により検出電極４１〜４５（図１３参照）と、この検出電極４１〜４５から夫々導出された接続電極４１ａ〜４６ａが一体的に形成されている。
【００４６】
図１３は、血液センサ３０の透視平面図であり、一方の端には、接続電極４１ａ〜４６ａが形成されている。接続電極４３ａと接続電極４６ａとの間に、導電体パターンで形成された識別部４６が形成されている。
【００４７】
３４は、血液センサ３０の略中央に設けられた血液１０の貯留部であり、この貯留部３４に一方の端が接続された供給路３５が検出電極４２に向かって設けられている。そして、この供給路３５の他方の端は空気孔３８に連結している。この供給路３５上には、貯留部３４側から順に接続電極４４ａに接続された検出電極４４と、接続電極４５ａに接続された検出電極４５と、接続電極４３ａに接続された検出電極４３と、接続電極４１ａに接続された検出電極４１と、接続電極４２ａに接続された検出電極４２が設けられている。また、検出電極４１，４３上には、試薬４０（図１２参照）が載置される。
【００４８】
接続電極４３ａと接続電極４６ａ間の電気的な導通があるか無いかで、血液センサ３０が穿刺部２５に装着されたか否かを識別することができる。即ち、この血液センサ３０を穿刺部２５に載置したとき、接続電極４３ａと接続電極４６ａ間の電気的な導通を検知することにより、血液センサ３０が確実に穿刺部２５に装着されたか否かを検知することができる。若し電気的な導通がなければ、血液センサ３０が穿刺部２５に装着されていない訳である。この場合は、血液検査装置２３の表示部４８（図１５参照）へ警告表示をすることができる。
【００４９】
また、識別部４６の電気抵抗値を変えることにより、使用する検量線の情報を格納したり、製造情報を格納したりすることが可能となる。従って、これらの情報を用いて、より精密な血液検査を行なうことができる。図１４は、長方形状をするとともに板体で形成された血液センサ３０の斜視図である。
【００５０】
以上のように構成されているので、貯留部３４に血液１０を付着すると、この血液１０は供給路３５内を毛細管現象で、検出電極４５，４３を順に通過して検出電極４２上へ導かれる。血液１０が検出電極４２へ導かれることにより、検出電極４２より手前にある検出部３７を構成する検出電極４１，４３へ十分な血液１０が到達していることを知ることができる。この血液１０は、試薬４０と反応する。その反応結果は接続電極４１ａ、４３ａに導かれる。
【００５１】
図１５は、測定回路部２７とその周辺のブロック図である。図１５において、血液センサ３０の接続電極４１ａ〜４５ａは、コネクタ２９の接点２９ａ〜２９ｅを介して切換回路２７ａに接続されている。この切換回路２７ａの出力は、電流／電圧変換器２７ｂの入力に接続されている。そして、その出力はアナログ／デジタル変換器（以後、Ａ／Ｄ変換器という）２７ｃを介して演算部２７ｄの入力に接続されている。この演算部２７ｄの出力は、液晶で形成された表示部４８と送信部２７ｅに接続されている。また、切換回路２７ａには基準電圧源２７ｆが接続されている。なお、この基準電圧源２７ｆはグランド電位であっても良い。
【００５２】
２７ｇは制御部であり、この制御部２７ｇの出力は、レーザ穿刺ユニット１４に接続された高電圧発生回路１８と、切換回路２７ａの制御端子と、演算部２７ｄと、送信部２７ｅとに接続されている。また、制御部２７ｇの入力には、穿刺ボタン１４ｄ（アンド回路２１ｃの出力）と、タイマ２７ｋと、接点２９ｆ（接続電極４６ａに対応する接点）が接続されている。
【００５３】
次に、血糖値の測定について説明する。先ず、穿刺ボタン１４ｄを押下すると、制御部２７ｇは高電圧発生回路１８のトリガスイッチ１８ｃをオンする。トリガスイッチ１８ｃがオンすると、レーザ穿刺ユニット１４からレーザ光１４ｅが発射され皮膚９ａを穿刺する。皮膚９ａの穿刺により皮膚９ａからは血液１０が滲出する。そして、この滲出した血液１０の測定を行う。
【００５４】
測定動作は、切換回路２７ａを切換えて、検出電極４１を電流／電圧変換器２７ｂに接続する。また、血液１０流入を検知するための検知極となる検出電極４２を基準電圧源２７ｆに接続する。そして、検出電極４１及び検出電極４２間に一定の電圧を印加する。
【００５５】
この状態において、血液１０が流入すると、検出電極４１，４２間に電流が流れる。この電流は、電流／電圧変換器２７ｂによって電圧に変換され、その電圧値はＡ／Ｄ変換器２７ｃによってデジタル値に変換される。そして、演算部２７ｄに向かって出力される。演算部２７ｄはそのデジタル値に基づいて血液１０が十分に流入したことを検出する。
【００５６】
次に、血液成分であるグルコースの測定が行なわれる。グルコース成分量の測定は、先ず、制御部２７ｇの指令により、切換回路２７ａを切換えて、グルコース成分量の測定のための作用極となる検出電極４１を電流／電圧変換器２７ｂに接続する。また、グルコース成分量の測定のための対極となる検出電極４３を基準電圧源２７ｆに接続する。
【００５７】
そうすると、検出電極４１，４３間に電流が流れる。この電流は電流／電圧変換器２７ｂによって電圧に変換され、その電圧値はＡ／Ｄ変換器２７ｃによってデジタル値に変換される。そして、演算部２７ｄに向かって出力される。演算部２７ｄではそのデジタル値を基にグルコース成分量に換算する。
【００５８】
グルコース成分量の測定後、Ｈｃｔ値の測定が行なわれる。Ｈｃｔ値の測定は次のように行なわれる。先ず、制御部２７ｇからの指令により切換回路２７ａを切換える。そして、Ｈｃｔ値の測定のための作用極となる検出電極４５を電流／電圧変換器２７ｂに接続する。また、Ｈｃｔ値の測定のための対極となる検出電極４１を基準電圧源２７ｆに接続する。
【００５９】
次に、制御部２７ｇの指令により、電流／電圧変換器２７ｂ及び基準電圧源２７ｆから検出電極４５と４１間に一定の電圧（２Ｖ〜３Ｖ）を印加する。検出電極４５と４１間に流れる電流は、電流／電圧変換器２７ｂによって電圧に変換され、その電圧値はＡ／Ｄ変換器２７ｃによってデジタル値に変換される。そして演算部２７ｄに向かって出力される。演算部２７ｄはそのデジタル値に基づいてＨｃｔ値に換算する。
【００６０】
この測定で得られたＨｃｔ値とグルコース成分量を用い、予め求めておいた検量線または検量線テーブルを参照して、グルコース成分量をＨｃｔ値で補正し、その補正された結果を表示部４８に表示する。何れの検量線または検量線テーブルを用いるかは、血液センサ３０内の識別部４６に基づいて決定する。また、検量線または検量線テーブルで補正された結果を送信部２７ｅからインスリンを注射する注射装置に向けて送信する。このように補正された測定データを送信部２７ｅから送信することにより、インスリンの投与量が注射装置に自動的に設定されるようにすれば、患者が投与するインスリンの量を注射装置に設定する必要は無く、設定の煩わしさは無くなる。また、人為手段を介さずにインスリンの量を注射装置に設定することができるので、設定のミスを防止することができる。
【００６１】
以上、グルコースの測定を例に説明したが、血液センサ３０の試薬４０を交換して、グルコースの測定の他に乳酸値やコレステロールの血液成分の測定にも適用できる。
【００６２】
（実施の形態３）
図１６は、実施の形態３における血液検査装置５１（実施の形態２における血液検査装置２３に該当する）の断面図である。
【００６３】
血液検査装置５１は、レーザ穿刺ユニット１４と穿刺部２５が一体化部材５２で一体化されている。従って、この一体化部材５２ごと支持部材１５で支持される。即ち、支持部材１５により、レーザ穿刺ユニット１４は穿刺部２５と共に振動や衝撃から保護される。また、図示していないが固定部材１６で、レーザ穿刺ユニット１４と穿刺部２５も一体化部材５２で一体化されて、遥動が制御される。
【００６４】
一体化部材５２により、レーザ穿刺ユニット１４と穿刺部２５間の距離は常に一定に保たれるので、レンズ１４ｆによる焦点距離は常に一定の深さで皮膚９ａを穿刺する。
【００６５】
（実施の形態４）
図１７は、実施の形態４における血液検査装置５３（実施の形態２における血液検査装置２３に該当する）の断面図である。
【００６６】
血液検査装置５３は、レーザ穿刺ユニット１４と穿刺部２５とセンサカートリッジ２６が一体化部材５４で一体化されている。従って、この一体化部材５４でこれ等の部品が共に支持部材１５で支持される。即ち、支持部材１５により、レーザ穿刺ユニット１４は穿刺部２５とセンサカートリッジ２６とが共に振動や衝撃から保護される。また、図示していないが固定部材１６で、レーザ穿刺ユニット１４と穿刺部２５とセンサカートリッジ２６も一体化部材５４で一体化されて、遥動が制御される。
【００６７】
一体化部材５４により、レーザ穿刺ユニット１４と穿刺部２５間の距離は常に一定に保たれので、レンズ１４ｆによる焦点距離は常に一定の深さで皮膚９ａを穿刺する。また、穿刺部２５とセンサカートリッジ２６間の位置関係も一定に保たれるので、血液センサ３０の穿刺部２５への装填は容易となる。
【００６８】
（実施の形態５）
図１８は、実施の形態５における血液検査装置５５（実施の形態２における血液検査装置２３に該当する）の断面図である。
【００６９】
血液検査装置５５は、支持部材としてコイルばね５６を用いている。即ち、レーザ穿刺ユニット１４の一方の側面の上方と筐体５７（実施の形態２における筐体２４に該当する）の間に設けられたコイルばね５６ａと、レーザ穿刺ユニット１４の一方の側面の下方と筐体５７の間に設けられたコイルばね５６ｂと、レーザ穿刺ユニット１４の他方の側面と筐体５７の間に設けられたコイルばね５６ｃと、レーザ穿刺ユニット１４の天面と筐体５７の天面間に設けられたコイルばね５６ｄとでレーザ穿刺ユニット１４を支持している。なお、図示していないが固定部材１６については実施の形態２と同様である。
【産業上の利用可能性】
【００７０】
本発明にかかるレーザ穿刺装置は、振動や衝撃に配慮されているので、携帯用のレーザ穿刺装置として有用である。
【図面の簡単な説明】
【００７１】
【図１】本発明の実施の形態１におけるレーザ穿刺装置の断面図
【図２】同、レーザ穿刺装置を構成する支持部材の側面図
【図３】同、斜視図
【図４】同、レーザ穿刺ユニットとその近傍を側面から見た断面図
【図５】同、正面図
【図６】同、固定部材の平面図
【図７】同、レーザ穿刺ユニット取り付けの断面図
【図８】同、固定部材を制御する連動部材とその周辺の説明図
【図９】同、高電圧発生回路のブロック図
【図１０】同、穿刺動作のフローチャート
【図１１】同、実施の形態２における血液検査装置の断面図
【図１２】同、血液検査装置に用いる血液センサの断面図
【図１３】同、透視平面図
【図１４】同、斜視図
【図１５】同、測定回路部とその周辺のブロック図
【図１６】同、実施の形態３における血液検査装置の断面図
【図１７】同、実施の形態４における血液検査装置の断面図
【図１８】同、実施の形態５における血液検査装置の断面図
【図１９】従来の血液検査装置の断面図
【符号の説明】
【００７２】
１１    レーザ穿刺装置
１２    筐体
１３    穿刺部
１４    レーザ穿刺ユニット
１５    支持部材
１６    固定部材
１８    高電圧発生回路
【図１】
2010094404.tif 000003
【図２】
2010094404.tif 000004
【図３】
2010094404.tif 000005
【図４】
2010094404.tif 000006
【図５】
2010094404.tif 000007
【図６】
2010094404.tif 000008
【図７】
2010094404.tif 000009
【図８】
2010094404.tif 000010
【図９】
2010094404.tif 000011
【図１０】
2010094404.tif 000012
【図１１】
2010094404.tif 000013
【図１２】
2010094404.tif 000014
【図１３】
2010094404.tif 000015
【図１４】
2010094404.tif 000016
【図１５】
2010094404.tif 000017
【図１６】
2010094404.tif 000018
【図１７】
2010094404.tif 000019
【図１８】
2010094404.tif 000020
【図１９】
2010094404.tif 000021